(57)【特許請求の範囲】
【請求項１】
少なくとも２本の並列された棒状部材の上に設置可能な座起立式椅子であって、
前記２本の棒状部材の上に設置される１対の取り付け部を有する背と、
前記背の前方に位置し、着座可能な使用位置と跳ね上げられた起立位置との間で揺動可能な座と、
前記２本の棒状部材の上であって前記１対の取り付け部の間に配置され、かつ、前記２本の棒状部材の間の空間を覆うカバーと、
を備える座起立式椅子。
【請求項２】
請求項１に記載の座起立式椅子であって、
前記１対の取り付け部および前記カバーが、前記使用位置に位置した前記座の下面に対向する単一の平面を形成する、座起立式椅子。
【請求項３】
請求項１に記載の座起立式椅子であって、
前記カバーが、両端から突出した突状部を有し、
前記１対の取り付け部が前記突状部の上に配置される、座起立式椅子。
【請求項４】
請求項３に記載の座起立式椅子であって、
前記１対の取り付け部の各々がボルト穴を有し、
ボルトが通過可能な通過穴を有する固定部材が、前記２本の棒状部材の下方に配置され、
前記ボルトが前記２本の棒状部材の下方から前記通過穴を通過して前記ボルト穴に螺合することにより、前記１対の取り付け部が、前記突状部を上から前記２本の棒状部材の側に押圧するとともに、前記ボルトが、前記固定部材を下から前記２本の棒状部材および前記１対の取り付け部の側に押圧する、座起立式椅子。
【発明の詳細な説明】
【技術分野】
【０００１】
本発明は、観覧席や競技場の観客席等に好適に使用される座起立式椅子に関する。
【背景技術】
【０００２】
従来、観覧席や競技場の観客席等に使用される座起立式椅子には、背と、座と、背の両側に設けられた座支持部材とを備え、座が着座可能な使用位置と跳ね上げられた起立位置との間で揺動可能に座支持部材に支持されているものが用いられている。
【０００３】
観覧席や競技場の観客席等には、未だに座起立式椅子ではなく、座が使用位置に固定されたままである固定椅子が設置されているものも存在する。座起立式椅子は固定椅子に比べて、椅子の間の通路の幅を大きく確保することができるとともに、背および座の寸法を大きくすることができるため、固定椅子の代わりに座起立式椅子を導入する事例が増加している。
【先行技術文献】
【特許文献】
【０００４】
【特許文献１】特開２００９−１６００３０号公報
【発明の概要】
【発明が解決しようとする課題】
【０００５】
上記のような事情に鑑み、固定椅子を採用している観覧席や競技場の観客席等を、座起立式椅子へ交換するプロジェクトが提案されつつある。よって、簡易に固定椅子を座起立式椅子へ交換するための構造、方法が求められている。
【０００６】
本発明は、従来の固定椅子からの交換作業の負担を軽減するとともに、安全性をも確保した座起立式椅子に関する。
【課題を解決するための手段】
【０００７】
本発明の座起立式椅子は、少なくとも２本の並列された棒状部材の上に設置可能な座起立式椅子であって、前記２本の棒状部材の上に設置される１対の取り付け部を有する背と、前記背の前方に位置し、着座可能な使用位置と跳ね上げられた起立位置との間で揺動可能な座と、前記２本の棒状部材の上であって前記１対の取り付け部の間に配置され、かつ、前記２本の棒状部材の間の空間を覆うカバーと、を備える。
【発明の効果】
【０００８】
本発明の座起立式椅子によれば、従来の固定椅子からの交換作業の負担を軽減するとともに、安全性をも確保することが可能となる。
【図面の簡単な説明】
【０００９】
【図１】図１は本発明に係る実施形態の座起立式椅子が複数設置された状態を示す斜視図。
【図２】図２は実施形態の座起立式椅子および貫材を示す拡大図であり、（ａ）は座起立式椅子の座および背の取り付け部を示す拡大図であり、（ｂ）は背の取り付け部が貫材に取り付けられた状態を示す拡大図。
【図３】図３は座起立式椅子の一部品であるカバーを示す図であり、（ａ）はカバーの正面図、（ｂ）はカバーの平面図、（ｃ）はカバーの側面図。
【図４】図４は座起立式椅子を貫材に配置する手順を示す図であり、（ａ）はカバーを貫材の上に配置した状態を示す図であり、（ｂ）はカバーの両側に座起立式椅子の背の取付け部を配置する状態を示し、（ｃ）は座起立式椅子を貫材の上に配置した状態を示す図。
【図５】図５はカバーがない状態において、１対の取り付け部および２本の棒状部材の間に形成される空間を示す図。
【発明を実施するための形態】
【００１０】
以下、本発明の実施形態を、図面を参照して詳細に説明する。図１は、本発明に係る実施形態の座起立式椅子が複数設置された状態を示す斜視図である。座起立式椅子１０は、劇場や競技場等の床に固定された脚３０上に配置された貫材２０の上に設置可能である。座起立式椅子１０は、人の背中を支える背１２と、座１４とを備える。座１４は座支持軸１８によって背１２に接続しており、座１４は、座支持軸１８を中心として、人が着座可能な使用位置と跳ね上げられた起立位置との間で揺動可能である。図１は、座１４が未使用の起立位置にある状態を示している。
【００１１】
図１の座起立式椅子１０は、その前後においても通路を隔てて配置されている。そして、図１に示すように、未使用の状態において座１４は起立するため、従来の座が使用状態で固定されて揺動しない固定椅子に比べて通路の幅を大きく取ることができ、人の通過が容易となる。また、背１２と、座１４の寸法をより大きく取ることができるため、従来の固定椅子に比べて座り心地を向上させることができる。このため、新しく設置される競技場の観客席等には、座起立式椅子を採用される事例が多くなっている。また、従来の固定椅子が設置された競技場についても、座起立式椅子に交換する事例が見られるようになってきている。
【００１２】
図２は、座起立式椅子１０および貫材２０を示す拡大図である。図２（ａ）に示すように、座起立式椅子１０の背１２は、その最下端において、板状の１対の取り付け部１２ａを有する。取り付け部１２ａは、背１２の横方向の端部から内方向に延びており、１対の取り付け部１２ａの間には空間Ｘが設けられる。座起立式椅子１０は、この空間Ｘを埋めるように貫材２０の上に配置されたカバー１６を更に備えている（図１参照）。
【００１３】
図１、図２（ｂ）に示すように貫材２０は、２本の並列された棒状部材２２、２４から構成されている。本実施形態では、棒状部材２２、２４は断面が円形の長尺の円筒部材によって構成され、互いに所定の距離を隔てて平行に配置される。そして、背１２の取り付け部１２ａが貫材２０の棒状部材２２、２４の上に配置され、設置される。
【００１４】
カバー１６は、１対の取り付け部１２ａの間の空間Ｘに設けられており、同時に２本の棒状部材２２、２４の間に形成される空間Ｙも覆う。さらに１対の取り付け部１２ａは、ボルトと螺合可能なボルト穴１２ｂを、その下面に有している（図２（ａ）参照）。そして、図２（ｂ）に示すように１対の取り付け部１２ａが２本の棒状部材２２、２４の上に配置された状態で、ボルト２６が通過可能な通過穴を有する固定部材２８が、２本の棒状部材２２、２４の下方に配置されており、ボルト２６が２本の棒状部材２２、２４の下方から通過穴を通過してボルト穴１２ｂに螺合する。このような構造により、座起立式椅子１０は、貫材２０を構成する２本の棒状部材２２、２４の上に設置され、固定される。
【００１５】
図３は、座起立式椅子１０の一部品であるカバー１６を示す図であり、図３（ａ）はカバー１６の正面図、図３（ｂ）はカバー１６の平面図、図３（ｃ）はカバー１６の側面図をそれぞれ示す。カバー１６は、平板の全体形状を呈し、前方には略楕円状の標識部１６ａが設けられ、標識部１６ａには座席番号を示すシールなどが貼付可能である。さらにカバー１６は広告などが貼付可能な上面部１６ｃ、両端から突出した突状部１６ｂ、上面部１６ｃの裏面から下方に突出した凸部１６ｄを備える。凸部１６ｄの一部は削除されており、それぞれ湾曲した前側湾曲凹部１６ｅ、後側湾曲凹部１６ｆが形成されている。
【００１６】
図４は、座起立式椅子１０を貫材２０に配置する手順を示す図である。まず、図４（ａ）に示すように作業者は、カバー１６を、貫材２０の２本の棒状部材２２、２４の上に配置する。図３で示したカバー１６の前側湾曲凹部１６ｅ、後側湾曲凹部１６ｆは、２本の棒状部材２２、２４に沿うような湾曲形状をしており、前側湾曲凹部１６ｅ、後側湾曲凹部１６ｆが、２本の棒状部材２２、２４の上に安定的に配置される。
【００１７】
次に、図４（ｂ）に示すように、作業者は、カバー１６の両側に座起立式椅子１０の背１２の１対の取り付け部１２ａを合わせるように座起立式椅子１０を持ち上げたうえで、貫材２０に近づける。そして、図４（ｃ）に示すように、作業者は、座起立式椅子１０を貫材２０の２本の棒状部材２２、２４の上に配置する。この場合において、図３で示したカバー１６の両端の突状部１６ｂの上に、１対の取り付け部１２ａが配置される。この結果、カバー１６は１対の取り付け部１２ａと係合し、カバー１６の横方向への動きを抑制するとともに、カバー１６のみが外れてしまうことを防止することができる。
【００１８】
最後に作業者は、図２（ｂ）で示したように、下方からボルト２６、固定部材２８を２本の棒状部材２２、２４および１対の取り付け部１２ａに取り付ける。すなわち、作業者は、ボルト２６を２本の棒状部材２２、２４の下方から、固定部材２８の通過穴を通過させてボルト穴１２ｂ（図２（ａ）参照）に螺合する。この結果、背１２の１対の取り付け部１２ａが、カバー１６の突状部１６ｂを上から２本の棒状部材２２，２４の側に押圧するとともに、ボルト２６が、固定部材２８を下から２本の棒状部材２２，２４および１対の取り付け部に対して押圧する。尚、本実施形態では、最終的な設置状態において、突状部１６ｂは２本の棒状部材２２，２４に直接接触しないが、固定部材２８は、２本の棒状部材２２，２４および１対の取り付け部１２ａの下面に直接接触する。
【００１９】
この結果、背１２の１対の取り付け部１２ａおよびカバー１６は一体的にかつ確実に貫材２０の２本の棒状部材２２、２４に固定され、座起立式椅子１０の安定的な設置が確保される。最終的に、図４（ｃ）に示すように、１対の取り付け部１２ａの上面およびカバー１６の上面部１６ｃは、使用位置に位置した座１４の下面に対向する単一の平面Ｓを形成することになる。実質的に単一の平面Ｓが一対の取り付け部１２ａおよびカバー１６の上側に形成され、突起や段部が形成されないため、人が座１４に着座したい際、座１４がスムーズに使用位置まで移動することが可能である。
【００２０】
図５は、カバー１６を取り付けずに座起立式椅子１０を２本の棒状部材２２、２４の上に配置した状態において、空間Ｘ、空間Ｙが形成されている状態を示す図である。カバー１６を使用しない場合は、このような空間が形成されてしまうため、不注意により手などが空間に巻き込まれるおそれがあるが、カバー１６が取り付けられることにより、座起立式椅子１０の取り付けの利便性のみならず安全性も向上する。尚、本実施形態では、カバー１６を２本の棒状部材２２、２４に配置した状態で、カバー１６の裏面（下面）の凸部１６ｄと、脚３０の上端をボルト３２により２本の棒状部材２２、２４に固定する固定部材３４とが接触する。よって、カバー１６はより安定して、２本の棒状部材２２、２４の上に配置される。
【００２１】
固定椅子のような従来型の椅子が２本の棒状部材２２、２４に配置され、この椅子を本実施形態の座起立式椅子１０に交換する場合には、従来型の椅子を２本の棒状部材２２、２４から取り外した後、図４に示した手順で座起立式椅子１０を配置することが可能である。よって、貫材２０、脚３０を従前の状態で残したまま、座起立式椅子１０を配置することが可能である。貫材２０、脚３０の交換作業は負担が大きい作業であり、本実施形態の座起立式椅子１０を用いることにより、交換作業の負担を削減することができる。すなわち、時間やコストをかけずに、簡易に固定椅子を座起立式椅子へ交換するためことが可能である。
【００２２】
上記実施形態では、カバー１６は、背１２の１対の取り付け部１２ａとは別体に形成されているが、カバー１６を取り付け部１２ａと一体で成形してもよい。
【００２３】
座起立式椅子１０を構成する各部品、部分の材料は金属、樹脂など特に限定はされない。また、本実施形態では貫材２０は、２本の棒状部材２２、２４により構成されているが、貫材を構成する棒状部材の数は２本以上であって、間に空間があるものであれば特に限定はされない。
【００２４】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００２５】
本発明に係る座起立式椅子は、従来の固定椅子からの交換作業の負担を軽減することにより、交換作業の時間的、費用的負担を削減することができ、さらには安全性をも確保したものである。
【符号の説明】
【００２６】
１０  座起立式椅子
１２  背
１２ａ  １対の取り付け部
１４  座
１６  カバー
１６ｂ  突状部
２０  貫材
２２、２４  棒状部材
３０  脚
Ｓ    単一の平面
Ｘ、Ｙ  空間
【図１】
0006668156.tif 000002
【図２】
0006668156.tif 000003
【図３】
0006668156.tif 000004
【図４】
0006668156.tif 000005
【図５】
0006668156.tif 000006